(57)【要約】【課題】  光ムラや光源の映りがないエレベータの表示及び照明装置を得る。【解決手段】  傾斜面にドット模様印刷７を施した透光性を有する三角形導光体８と、三角形導光体８の短辺側に配設された光源６と、三角形導光体８の長辺側に設けられ、光源６からの光を三角形導光体８のドット模様印刷７により均一に光らせる表示板及び照明板５と、三角形導光体８の傾斜面及び光源６の上面を覆う照明枠９とを備える。また、三角形導光体８のドット模様印刷が施された傾斜面を光拡散シート１０で覆う。【選択図】    図５
2005212914.tif 000002
【特許請求の範囲】
【請求項１】
傾斜面にドット模様印刷を施した透光性を有する三角形導光体と、
前記三角形導光体の短辺側に配設された光源と、
前記三角形導光体の長辺側に設けられ、前記光源からの光を前記三角形導光体のドット模様印刷により均一に光らせる表示板及び照明板と、
を備えたことを特徴とするエレベータの表示及び照明装置。
【請求項２】
傾斜面にドット模様印刷を施した透光性を有する三角形導光体と、
前記三角形導光体の短辺側に配設された光源と、
前記三角形導光体の長辺側に設けられ、前記光源からの光を前記三角形導光体のドット模様印刷により均一に光らせる表示板及び照明板と、
前記三角形導光体の傾斜面及び前記光源の上面を覆う照明枠と、
を備えたことを特徴とするエレベータの表示及び照明装置。
【請求項３】
三角形導光体のドット模様印刷が施された傾斜面を光拡散シートで覆ったことを特徴とする請求項１又は請求項２記載のエレベータの表示及び照明装置。
【請求項４】
光源の上面を光拡散シートで覆ったことを特徴とする請求項１〜請求項３のいずれかに記載のエレベータの表示及び照明装置。
【請求項５】
光源の下面を、一部に穴が開けられた光拡散シートで覆ったことを特徴とする請求項４記載のエレベータの表示及び照明装置。
【請求項６】
照明枠は、その一部に開閉可能な点検蓋を有することを特徴とする請求項２記載のエレベータの表示及び照明装置。
【請求項７】
傾斜面に施されるドット模様印刷は、シルク印刷であることを特徴とする請求項１〜請求項６のいずれかに記載のエレベータの表示及び照明装置。
【発明の詳細な説明】
【技術分野】
【０００１】
この発明は、意匠性に優れたエレベータの表示及び照明装置に関するものである。
【背景技術】
【０００２】
従来のエレベータの表示及び照明装置は、光源が表示板及び照明板の後方にあること、あるいは表示板及び照明板との上下間距離が少ないことなどにより、光ムラや光源の映りが生じたりして意匠性が悪いという問題点があった。
また、他の従来技術としては、簡易な加工によって所要の表示作用を現出するエレベータの表示装置や、かご床の床面に十分広く形成でき、また透光板の周縁部まで照明されて良好な脚光照明効果を実現するエレベータかごの脚光照明装置がある（例えば、特許文献１及び特許文献２参照）。
【０００３】
【特許文献１】特開平６−３４５３４３号公報
【特許文献２】特開２００２−２２０１７５号公報
【発明の開示】
【発明が解決しようとする課題】
【０００４】
しかしながら、従来技術の特許文献１、２に記載のものであっても、光ムラや光源の映りが生じたりして意匠性が悪いというエレベータの表示及び照明装置の問題点を解決するものではなかった。
【０００５】
この発明は、上述のような課題を解決するためになされたもので、光ムラや光源の映りがないエレベータの表示及び照明装置を得ることを目的とする。
【課題を解決するための手段】
【０００６】
この発明に係わるエレベータの表示及び照明装置は、傾斜面にドット模様印刷を施した透光性を有する三角形導光体と、三角形導光体の短辺側に配設された光源と、三角形導光体の長辺側に設けられ、光源からの光を三角形導光体のドット模様印刷により均一に光らせる表示板及び照明板とを備えたものである。
【発明の効果】
【０００７】
この発明は、傾斜面にドット模様印刷を施した透光性を有する三角形導光体と、三角形導光体の短辺側に配設された光源と、三角形導光体の長辺側に設けられ、光源からの光を三角形導光体のドット模様印刷により均一に光らせる表示板及び照明板とを備えたので、光源の映りや光ムラが発生のしない意匠性の高い表示及び照明装置が実現できる。
【発明を実施するための最良の形態】
【０００８】
実施の形態１．
図１はこの発明を実施するための実施の形態１におけるエレベータの表示及び照明装置の正面図、図２は図１のＡ−Ａ線に沿った断面図、図３は図１のＢ−Ｂ線に沿った断面図、図４はこの発明の実施の形態１におけるエレベータの表示及び照明装置の要部（図２のＣ部）構造を示す部分断面図である。
【０００９】
図１〜図４において、エレベータの乗場装置は、乗場三方枠１、乗場三方枠１の出入口開口部を開閉する乗場扉２、乗場三方枠１の上部を構成する幕板３等から構成されている。そして、乗場三方枠１内における乗場扉２の上端部と幕板３下部との間に、この発明のエレベータの表示及び照明装置が水平方向に設けられている。このエレベータの表示及び照明装置は、下端周縁部が額縁フレーム４により支持され、乗場三方枠１又は幕板３に固定された表示板及び照明板５と、この表示板及び照明板５の上面後方部に設けられた光源６と、表示板及び照明板５の上面前方部に設けられ、例えばシルク印刷等によりドット模様印刷７が上面の傾斜面に施された透光性を有する三角形導光体８と、上記表示板及び照明板５の上方部に設けられ、上記光源６及び三角形導光体８の上面を覆う照明枠９とから構成されている。すなわち、換言すると、三角形導光体８の後部短辺側に光源６が配設され、かつ三角形導光体８の下部長辺側に表示板及び照明板５が設けられている。また、照明枠９における三角形導光体８が位置する部分は、三角形導光体８の傾斜面に沿って傾斜している。
【００１０】
この実施の形態１の構成によれば、透光性を有する三角形導光体８の上面の傾斜面にドット模様印刷７が施されているので、表示板及び照明板５の後方部でかつ三角形導光体８の短辺側に設けられた光源６からの光が三角形導光体８の上面傾斜面のドット模様印刷７に当り、三角形導光体８の下部長辺側に設けられた表示板及び照明板５に向けられるので、表示板及び照明板５の前方まで均一に光らせることができる。すなわち、図２に示すように、乗場三方枠１内側の前方まで均一に光らせることができるものである。
【００１１】
実施の形態２．
図５はこの発明の実施の形態２におけるエレベータの表示及び照明装置の要部構造を示す部分断面図である。
この実施の形態２は、実施の形態１におけるドット模様印刷７が上面の傾斜面に施された透光性を有する三角形導光体８の更に上面に三角照明板用光拡散シート１０を覆うことにより、表示板及び照明板１の前方まで更に均一に光らせることができる。
【００１２】
実施の形態３．
図６はこの発明の実施の形態３におけるエレベータの表示及び照明装置の要部構造を示  す部分断面図である。
この実施の形態３は、実施の形態２における三角形導光体８の上面を覆う三角照明板用光拡散シート１０を更に延長させ、光源６の上面を覆う光源上面光拡散シート１０ａを設けたものである。
これにより、表示板及び照明板１の前方まで更に均一に光らせることができる。
【００１３】
実施の形態４．
図７はこの発明の実施の形態４におけるエレベータの表示及び照明装置の要部構造を示  す部分断面図、図８はこの発明の実施の形態４におけるエレベータの表示及び照明装置の要部構造を一部破断して示す斜視図である。
この実施の形態４は、実施の形態３と同様に、三角形導光体８の上面を覆う三角照明板用光拡散シート１０を更に延長させ、光源６の上面を覆う光源上面光拡散シート１０ａを設けるとともに、更に加えて、光源６の下面を覆う一部に穴１１ａを開けた光源下面光拡散シート１１を設けたものである。
これにより、表示板及び照明板１の前方まで更に均一に光らせることができる。また、  光源６の下面を覆う一部に穴１１ａを開けた光源下面光拡散シート１１を設置し、光源の映りを減らすことができる。
【００１４】
実施の形態５
図９はこの発明の実施の形態５におけるエレベータの表示及び照明装置の要部構造を示  す部分断面図である。
この実施の形態５は、上記実施の形態４の構成から、表示板及び照明板５の下端周縁部に設けられた額縁フレーム４を無くし、意匠性を更にアップさせたものである。
なお、上記実施の形態１〜実施の形態３の構成から、額縁フレーム４を無くしても良いことは勿論である。
【００１５】
実施の形態６
図１０はこの発明の実施の形態６におけるエレベータの表示及び照明装置の要部構造を示す部分断面図である。
この実施の形態６は、上記実施の形態５の構成に加え、表示板及び照明板５の上方部に設けられ、光源６及び三角形導光体８の上面を覆う照明枠９を、三角形導光体８の上面に位置する傾斜部分と、光源６の上面に位置する水平部分とに二分するとともに、この両者間を蝶番１２にて結合することにより、照明枠９の前方傾斜部分を開閉可能な点検蓋にすることができ、光源６を意匠面側から交換可能にしたものである。
【００１６】
実施の形態７
図１１はこの発明の実施の形態７におけるエレベータの表示及び照明装置の正面図、図１２は図１１のＡ−Ａ線に沿った断面図である。
この実施の形態７は、上記実施の形態１〜実施の形態６の構成と同じような構成の表示及び照明装置を天地を逆にして所定の間隔を空けて２個取り付け、エレベータの到着灯及びサービス表示の機能を持たせたものである。
【００１７】
実施の形態８
図１３はこの発明の実施の形態８におけるエレベータの表示及び照明装置の正面図、図１４は図１３のＡ−Ａ線に沿った断面図、図１５は図１３のＢ−Ｂ線に沿った断面図である。
この実施の形態８は、上記実施の形態１〜実施の形態６の構成と同じような構成の表示及び照明装置が水平方向ではなく垂直方向に設置したものである。
これにより、エレベータの乗場幕板３にサービス表示の機能、かご室出入口前板にサービス表示の機能を持たせたものである。
【００１８】
ところで、上記説明では、乗場三方枠１の上部や、乗場の幕板部に取り付けるエレベータの表示及び照明装置について述べたが、エレベータかご室の天井照明装置としても適用できることは言うまでもない。
【図面の簡単な説明】
【００１９】
【図１】この発明を実施するための実施の形態１におけるエレベータの表示及び照明装置の正面図である。
【図２】図１のＡ−Ａ線に沿った断面図である。
【図３】図１のＢ−Ｂ線に沿った断面図である。
【図４】この発明の実施の形態１におけるエレベータの表示及び照明装置の要部構造を示す部分断面図である。
【図５】この発明の実施の形態２におけるエレベータの表示及び照明装置の要部構造を示す部分断面図である。
【図６】この発明の実施の形態３におけるエレベータの表示及び照明装置の要部構造を示す部分断面図である。
【図７】この発明の実施の形態４におけるエレベータの表示及び照明装置の要部構造を示す部分断面図である。
【図８】この発明の実施の形態４におけるエレベータの表示及び照明装置の要部構造を一部破断して示す斜視図である。
【図９】この発明の実施の形態５におけるエレベータの表示及び照明装置の要部構造を示す部分断面図である。
【図１０】この発明の実施の形態６におけるエレベータの表示及び照明装置の要部構造を示す部分断面図である。
【図１１】この発明の実施の形態７におけるエレベータの表示及び照明装置の正面図である。
【図１２】図１１のＡ−Ａ線に沿った断面図である。
【図１３】この発明の実施の形態８におけるエレベータの表示及び照明装置の正面図である。
【図１４】図１３のＡ−Ａ線に沿った断面図である。
【図１５】図１３のＢ−Ｂ線に沿った断面図である。
【符号の説明】
【００２０】
１  乗場三方枠、  ２  乗場扉、  ３  幕板、  ４  額縁フレーム、  ５  表示板及び照明板、６  光源、  ７  ドット模様印刷（シルク印刷）、  ８  三角形導光体、  ９  照明枠、  １０  三角照明板用光拡散シート、１０ａ  光源上面拡散シート、１１  光源下面拡散シート、１２  蝶番
【図１】
2005212914.tif 000003
【図２】
2005212914.tif 000004
【図３】
2005212914.tif 000005
【図４】
2005212914.tif 000006
【図５】
2005212914.tif 000007
【図６】
2005212914.tif 000008
【図７】
2005212914.tif 000009
【図８】
2005212914.tif 000010
【図９】
2005212914.tif 000011
【図１０】
2005212914.tif 000012
【図１１】
2005212914.tif 000013
【図１２】
2005212914.tif 000014
【図１３】
2005212914.tif 000015
【図１４】
2005212914.tif 000016
【図１５】
2005212914.tif 000017